(57)【要約】【課題】  本発明は、異なる操作が割り当てられた複数の指示キーが配列されているキー配列領域と、複数の楽曲データが展開される楽曲マップ領域とからなる複合操作画面においても、装置を傾斜させるだけで、キー配列領域における指示キーの選択と楽曲マップ領域の楽曲選択とを容易に行うことができる操作装置および操作システムを提供することを課題とする。【解決手段】  傾斜角検出部によって操作装置の傾きを検出して姿勢信号を出力し、キー配列領域３３および楽曲マップ領域３２からなる複合操作画面３１において、キー配列領域３３では、姿勢信号に基づいた第１のカーソル移動制御でキー配列領域３３に配列されている複数の指示キーＫｍのいずれかにカーソルを移動させ、楽曲マップ領域３２では、姿勢信号に基づいた第２のカーソル移動制御で楽曲マップ領域３２上の範囲を指定する楽曲選択カーソル３４を移動させる。【選択図】        図６
2007041896.tif 000002
【特許請求の範囲】
【請求項１】
操作画面を表示手段に表示し、前記操作画面上を移動するカーソルによって操作を行う操作装置であって、
異なる操作が割り当てられた複数の指示キーが配列されているキー配列領域および複数の楽曲データが展開される楽曲マップ領域からなる複合操作画面を前記表示手段に表示する表示制御手段と、
装置の傾きを検出して姿勢信号を出力する傾斜角検出手段と、
前記姿勢信号に基づいた第１のカーソル移動制御および当該第１のカーソル移動制御とは異なる前記姿勢信号に基づいた第２のカーソル移動制御を行うカーソル制御手段とを具備し、
前記カーソル制御手段は、前記複合操作画面の前記キー配列領域では、前記第１のカーソル移動制御で前記キー配列領域に配列されている複数の前記指示キーのいずれかに前記カーソルを移動させ、前記複合操作画面の前記楽曲マップ領域では、前記第２のカーソル移動制御で前記楽曲マップ領域上の範囲を指定する楽曲選択カーソルを移動させることを特徴とする操作装置。
【請求項２】
前記カーソル制御手段は、第１のカーソル移動制御として、前記姿勢信号に基づいて前記キー配列領域に配列されている複数の前記指示キーのいずれかを特定して前記カーソルを移動させることを特徴とする請求項１記載の操作装置。
【請求項３】
前記カーソル制御手段は、第２のカーソル移動制御として、前記姿勢信号に基づいて装置が傾斜している方向に前記楽曲選択カーソルを移動させ、前記楽曲選択カーソル内に位置する前記楽曲データを選択させることを特徴とする請求項１又は２記載の操作装置。
【請求項４】
前記複合操作画面には、中央に前記楽曲マップ領域がレイアウトされていると共に、前記楽曲マップ領域を囲むように前記キー配列領域がレイアウトされており、
前記カーソル制御手段は、装置の傾斜が予め定められた閾値以上の場合に、第１のカーソル移動制御によって前記キー配列領域に配列されている複数の前記指示キーのいずれかに前記カーソルを移動させ、装置の傾斜が前記閾値未満の場合に、前記第２のカーソル移動制御によって前記楽曲マップ領域における前記楽曲選択カーソルを移動させることを特徴とする請求項１乃至３記載の操作装置。
【請求項５】
本体装置と、当該本体装置を操作するリモコン装置とからなり、操作画面を表示し、前記操作画面上を移動するカーソルによって操作を行う操作システムであって、
前記リモコン装置は、前記リモコン装置の傾きを検出して姿勢信号を出力する傾斜角検出手段と、
実行を指示する操作キーと、
前記傾斜角検出手段から出力された前記姿勢信号と前記操作キーの押下信号とを送信する送信手段とを具備し、
前記本体装置は、前記姿勢信号と前記押下信号とを受信する受信手段と、
異なる操作が割り当てられた複数の指示キーが配列されているキー配列領域および複数の楽曲データが展開される楽曲マップ領域からなる複合操作画面を表示する表示手段と、
前記複合操作画面の前記キー配列領域では、前記姿勢信号に基づいた前記第１のカーソル移動制御で前記カーソルを前記キー配列領域に配列されている複数の前記指示キーのいずれかに移動させ、前記複合操作画面の前記楽曲マップ領域では、前記第１のカーソル移動制御とは異なる前記姿勢信号に基づいた前記第２のカーソル移動制御で前記楽曲マップ領域上の範囲を指定する楽曲選択カーソルを移動させるカーソル制御手段と、
前記操作キーの押下信号に基づいて、前記カーソルが位置する前記指示キーに割り当てられた操作を実行すると共に、前記楽曲選択カーソルよって選択された前記楽曲データの再生を実行する中央制御手段とを具備することを特徴とする操作システム。
【発明の詳細な説明】
【技術分野】
【０００１】
本発明は、記録媒体（ＨＤＤ、ＣＤ、ＭＤ等）に記録された楽曲データを再生する携帯端末装置や、各種電子機器を遠隔操作するためのリモコン装置に用いられる操作装置および操作システムに関し、特に片手で装置を把持して簡単に操作することができる操作装置および操作システムに関する。
【背景技術】
【０００２】
記録媒体（ＨＤＤ、ＣＤ、ＭＤ等）に記録された楽曲データを再生する携帯端末装置や、各種電子機器を遠隔操作するためのリモコン装置は、装置の多機能化に伴って様々な操作を行う必要から、装置に設けられたボタンでは対応することができず、ディスプレイを用いたオンスクリーン操作が採用されている。オンスクリーン操作では、ディスプレイに表示された操作画面に配列されている複数の指示キーをup/downキー、十字キー、ジョクシャトル等の操作手段を操作して選択するのが一般的であるが、高齢者や不慣れな使用者には、up/downキー、十字キー、ジョクシャトル等の操作をスムーズに行うことが難しい。
【０００３】
そこで、up/downキー、十字キー、ジョクシャトル等の操作手段を用いることなく、加速度センサから得られる信号より、装置の傾斜角度を検出し、装置の傾斜角度に基づいて操作画面上の指示キーを時々刻々移動させて表示し、操作画面の中央付近に表示されている指示キーを選択するようにした技術が提案されている（例えば、特許文献１参照）。
【０００４】
しかしながら、従来技術では、装置の傾斜角度に基づいた指示キーの選択制御が１種類しかないため、異なる操作が割り当てられた複数の指示キーが配列されているキー配列領域と、複数の楽曲データが展開される楽曲マップ領域とからなる複合操作画面を用いた場合には、装置を傾斜によってキー配列領域における指示キーの選択と楽曲マップ領域の楽曲選択とを行うことが困難であるという問題点があった。
【特許文献１】特開２００３−１６２３７１号公報
【発明の開示】
【発明が解決しようとする課題】
【０００５】
本発明は斯かる問題点に鑑みてなされたものであり、その目的とするところは、異なる操作が割り当てられた複数の指示キーが配列されているキー配列領域と、複数の楽曲データが展開される楽曲マップ領域とからなる複合操作画面においても、装置を傾斜させるだけで、キー配列領域における指示キーの選択と楽曲マップ領域の楽曲選択とを容易に行うことができる操作装置および操作システムを提供する点にある。
【課題を解決するための手段】
【０００６】
本発明は上記課題を解決すべく、以下に掲げる構成とした。
本発明の操作装置は、操作画面を表示手段に表示し、前記操作画面上を移動するカーソルによって操作を行う操作装置であって、異なる操作が割り当てられた複数の指示キーが配列されているキー配列領域および複数の楽曲データが展開される楽曲マップ領域からなる複合操作画面を前記表示手段に表示する表示制御手段と、装置の傾きを検出して姿勢信号を出力する傾斜角検出手段と、前記姿勢信号に基づいた第１のカーソル移動制御および当該第１のカーソル移動制御とは異なる前記姿勢信号に基づいた第２のカーソル移動制御を行うカーソル制御手段とを具備し、前記カーソル制御手段は、前記複合操作画面の前記キー配列領域では、前記第１のカーソル移動制御で前記キー配列領域に配列されている複数の前記指示キーのいずれかに前記カーソルを移動させ、前記複合操作画面の前記楽曲マップ領域では、前記第２のカーソル移動制御で前記楽曲マップ領域上の範囲を指定する楽曲選択カーソルを移動させることを特徴とする。
【０００７】
さらに、本発明の操作装置は、前記カーソル制御手段は、第１のカーソル移動制御として、前記姿勢信号に基づいて前記キー配列領域に配列されている複数の前記指示キーのいずれかを特定して前記カーソルを移動させることを特徴とする。
【０００８】
さらに、本発明の操作装置は、前記カーソル制御手段は、第２のカーソル移動制御として、前記姿勢信号に基づいて装置が傾斜している方向に前記楽曲選択カーソルを移動させ、前記楽曲選択カーソル内に位置する前記楽曲データを選択させることを特徴とする。
【０００９】
さらに、本発明の操作装置は、前記複合操作画面には、中央に前記楽曲マップ領域がレイアウトされていると共に、前記楽曲マップ領域を囲むように前記キー配列領域がレイアウトされており、前記カーソル制御手段は、装置の傾斜が予め定められた閾値以上の場合に、第１のカーソル移動制御によって前記キー配列領域に配列されている複数の前記指示キーのいずれかに前記カーソルを移動させ、装置の傾斜が前記閾値未満の場合に、前記第２のカーソル移動制御によって前記楽曲マップ領域における前記楽曲選択カーソルを移動させることを特徴とする。
【００１０】
また、本発明の操作システムは、本体装置と、当該本体装置を操作するリモコン装置とからなり、操作画面を表示し、前記操作画面上を移動するカーソルによって操作を行う操作システムであって、前記リモコン装置は、前記リモコン装置の傾きを検出して姿勢信号を出力する傾斜角検出手段と、実行を指示する操作キーと、前記傾斜角検出手段から出力された前記姿勢信号と前記操作キーの押下信号とを送信する送信手段とを具備し、前記本体装置は、前記姿勢信号と前記押下信号とを受信する受信手段と、異なる操作が割り当てられた複数の指示キーが配列されているキー配列領域および複数の楽曲データが展開される楽曲マップ領域からなる複合操作画面を表示する表示手段と、前記複合操作画面の前記キー配列領域では、前記姿勢信号に基づいた前記第１のカーソル移動制御で前記カーソルを前記キー配列領域に配列されている複数の前記指示キーのいずれかに移動させ、前記複合操作画面の前記楽曲マップ領域では、前記第１のカーソル移動制御とは異なる前記姿勢信号に基づいた前記第２のカーソル移動制御で前記楽曲マップ領域上の範囲を指定する楽曲選択カーソルを移動させるカーソル制御手段と、前記操作キーの押下信号に基づいて、前記カーソルが位置する前記指示キーに割り当てられた操作を実行すると共に、前記楽曲選択カーソルよって選択された前記楽曲データの再生を実行する中央制御手段とを具備することを特徴とする。
【発明の効果】
【００１１】
本発明の操作装置および操作システムは、傾斜角検出手段によって装置の傾きを検出して姿勢信号を出力し、異なる操作が割り当てられた複数の指示キーが配列されているキー配列領域および複数の楽曲データが展開される楽曲マップ領域からなる複合操作画面において、キー配列領域では、姿勢信号に基づいた第１のカーソル移動制御でキー配列領域に配列されている複数の指示キーのいずれかにカーソルを移動させ、楽曲マップ領域では、第１のカーソル移動制御とは異なる姿勢信号に基づいた第２のカーソル移動制御で楽曲マップ領域上の範囲を指定する楽曲選択カーソルを移動させるように構成することにより、キー配列領域に適したカーソルの移動制御と、楽曲マップ領域に適した楽曲選択カーソルの移動制御とをそれぞれ採用することができるため、キー配列領域および楽曲マップ領域からなる複合操作画面においても装置を傾斜させるだけで、キー配列領域における指示キーの選択と楽曲マップ領域の楽曲選択とを容易に行うことができるという効果を奏する。
【００１２】
さらに、本発明の操作装置および操作システムは、キー配列領域における第１のカーソル移動制御として、姿勢信号に基づいてキー配列領域に配列されている複数の指示キーのいずれかを特定してカーソルを移動させるように構成することにより、キー配列領域に配列された複数の指示キーのいずれかを装置の姿勢に応じて直接的に選択することができ、キー配列領域でのカーソル移動の操作性を向上させることができるという効果を奏する。
【００１３】
さらに、本発明の操作装置および操作システムは、楽曲マップ領域における第２のカーソル移動制御として、姿勢信号に基づいて装置が傾斜している方向に楽曲選択カーソルを移動させ、楽曲選択カーソル内に位置する前記楽曲データを選択させるように構成することにより、楽曲マップ領域における楽曲選択カーソルを装置の傾斜に応じて任意の方向に移動させることができるため、楽曲マップ領域でのカーソル移動の操作性を向上させることができるという効果を奏する。
【００１４】
さらに、本発明の操作装置および操作システムは、複合操作画面において、中央に楽曲マップ領域がレイアウトすると共に、楽曲マップ領域を囲むようにキー配列領域がレイアウトし、装置の傾斜が予め定められた閾値以上の場合に、第１のカーソル移動制御によってキー配列領域に配列されている複数の指示キーのいずれかにカーソルを移動させ、装置の傾斜が閾値未満の場合に、第２のカーソル移動制御によって楽曲マップ領域における楽曲選択カーソルを移動させるように構成することにより、装置の傾斜角度によってキー配列領域における指示キーの選択と楽曲マップ領域の楽曲選択とを容易に切り換えることができるという効果を奏する。
【発明を実施するための最良の形態】
【００１５】
以下、本発明の実施の形態を図面に基づいて詳細に説明する。
【００１６】
図１は、本発明に係る操作装置の実施の形態の外観構成を示す斜視図であり、図２は、図１に示す操作装置の構成を示すブロック図であり、図３は、図１に示す操作装置の使用状態を説明するための説明図であり、図４は、図２に示す傾斜角検出部の出力例を示す図であり、図５は、図２に示す座標変換部における姿勢ベクトルの算出方法を説明する説明図であり、図６は、図２に示す画面記憶部に記憶されている複合操作画面例を示す図であり、図７は、図２に示すセル情報記憶部に記憶されている第１のセル情報例を示す図であり、図８は、図２に示すセル情報記憶部に記憶されている第２のセル情報例を示す図であり、図９は、図６に示す複合操作画面におけるキー配列領域に対応する第１の変換テーブル例を示す図であり、図１０は、図６に示す複合操作画面におけるマップ領域に対応する第２の変換テーブル例を示す図である。
【００１７】
本実施の形態の操作装置１は、記録媒体であるＨＤＤに記録された楽曲データを再生するＨＤＤプレーヤ等の携帯端末装置であり、図１を参照すると、全体が略矩形をなす筐体２の主面部に表示部３が設けられていると共に、筐体２の右側面部に操作キー４が設けられ、筐体２内には、図２を参照すると、傾斜角検出部６と、ＡＤ変換部７と、座標変換部８と、セル情報記憶部１０と、変換テーブル記憶部１１と、画面記憶部９と、表示制御部１２と、カーソル制御部１３と、中央制御部１４と、データベース１５と、音声出力部１６とを備えている。
【００１８】
表示部３は、液晶ディスプレイ（ＬＣＤ）等の表示手段であり、再生する楽曲データのタイトル名、アーティスト名等の書誌データや再生時間等の各種案内情報が表示されると共に、操作の選択、音量の調整、楽曲データの検索、楽曲データの再生指示等の各種指示キーが表示される。なお、本実施の形態では、表示部３に案内情報と指示キーとを同一画面で表示するように構成したが、操作装置１の主面部に液晶ディスプレイ（ＬＣＤ）等の他の表示手段を設け、案内情報と指示キーとを別個の表示手段に表示させるようにしても良い。
【００１９】
操作キー４は、電源の投入および切断を指示する電源キー、ユーザが選択した機能（指示キー）の実行を指示する実行キーとして機能するものであり、操作キー４は、筐体２の右側面部の上部側、すなわち、図３に示すように、表示部３が設けられている主面部を上側にして操作装置１を右手で把持した状態で、親指で操作できる位置に配置されている。
【００２０】
傾斜角検出部６は、例えば、静電容量型、ピエゾ抵抗型、熱分布検知型等の加速度センサを用いた傾斜センサであり、図１を参照すると、主面部、すなわち表示部３の表示面と平行で互いに直交するＸ軸およびＹ軸と、主面部と垂直なＺ軸の傾きに応じた姿勢信号をＡＤ変換部７に出力する。なお、本実施の形態では、Ｘ軸は、表示部３の上下方向に、Ｙ軸は、表示部３の左右方向にそれぞれ設定されている。
【００２１】
傾斜角検出部６として、固定されたビーム（梁）と可動するビーム（梁）とをそれぞれコンデンサの電極板と見立てて、ビーム間の距離の変動を静電容量値としてＸ軸、Ｙ軸、Ｚ軸（図１に示すように主面部と垂直な軸をＺ軸とする）の傾斜を検出する静電容量型３軸加速度センサを用いた場合には、図４に示すように、Ｘ軸、Ｙ軸、Ｚ軸の傾斜角に応じた出力電圧が姿勢信号として得られる。
【００２２】
ＡＤ変換部７は、傾斜角検出部６から出力される姿勢信号をデジタル信号に変換して座標変換部８に出力し、座標変換部８は、入力された姿勢信号に基づいてＸ軸およびＹ軸をそれぞれ中心とする操作装置１のそれぞれの回転角θｘ、θｙをそれぞれ算出する。回転角θｘは、Ｙ軸およびＺ軸の傾斜角から、回転角θｙは、Ｘ軸およびＺ軸の傾斜角からそれぞれ求めることができる。以下、Ｘ軸を中心とする操作装置１の回転をピッチ方向の回転と称し、Ｙ軸を中心とする操作装置１の回転をロール方向の回転と称する。また、筐体２の主面部が重力方向に直交する場合の回転角θｘ、θｙを０度とし、表示部３の上方を下側に移動させるピッチ方向の回転をプラスとし、表示部３の下方を下側に移動させるピッチ方向の回転をマイナスとし、表示部３の右方を下側に移動させるロール方向の回転をプラスとし、表示部の左方を下側に移動させるロール方向の回転をマイナスとする。また、座標変換部８は、算出した回転角θｘ、θｙを合成することで、図５に示すように、操作装置１がどの向きに傾けられたかを示す角度θａと、操作装置１の傾斜角の大きさを示す長さｒとで表される姿勢ベクトルＲを算出してカーソル制御部１３に出力する。
【００２３】
画面記憶部９は、各種案内情報が表示される案内情報表示領域や、異なる操作が割り当てられた複数の指示キーや、楽曲データを検索するための楽曲マップがレイアウトされた複数の操作画面を記憶している記憶手段であり、楽曲データの再生に関連する操作を行う画面、音量の調整を行う画面、楽曲データの検索を行う画面等が記憶されている。なお、実施の形態では、異なるカーソル移動制御が行われる複数の領域からなる複合操作画面３１（図６参照）が画面記憶部９に記憶されているものとする。複合操作画面３１は、図６を参照すると、中央に円形の楽曲マップ領域３２がレイアウトされていると共に、楽曲マップ領域３２を囲むように複数（４個）の指示キーＫｍ（ｍ＝１〜４）が配列されたキー配列領域３３がレイアウトされている。楽曲マップ領域３２には、データベース１５に記憶されている楽曲データが２つの評価項目（例えば、「穏やか−激しい」、「明るい−暗い」）に基づいて平面上に展開される楽曲マップが表示される。
【００２４】
セル情報記憶部１０は、複数のセル（領域）からなるセル情報として記憶している記憶手段であり、複合操作画面３１におけるカーソルの移動制御に用いられる第１のセル情報および第２のセル情報が記憶されている。
【００２５】
第１のセル情報は、図７を参照すると、５個のセルＳｎ（ｎ＝０〜４）からなり、ＡＤ変換部７で算出される姿勢ベクトルＲにおける長さｒが予め定められた閾値未満の場合、すなわち操作装置１の傾斜が予め定められた所定角度未満の場合にセルＳ０がカレントセルとして特定され、ＡＤ変換部７で算出される姿勢ベクトルＲにおける長さｒが予め定められた閾値以上の場合、すなわち操作装置１の傾斜が予め定められた所定角度以上の場合に、ＡＤ変換部７で算出される姿勢ベクトルＲにおける角度θａ、すなわち操作装置１の傾斜の向きに応じてセルＳ１〜４のいずれかがカレントセルとして特定される。
【００２６】
第２のセル情報は、図８を参照すると、３個のセルＴｐ（ｐ＝０〜２）からなり、ＡＤ変換部７で算出される姿勢ベクトルＲにおける長さｒが予め定められた閾値未満の場合、すなわち操作装置１の傾斜が予め定められた所定角度未満の場合に、ＡＤ変換部７で算出される姿勢ベクトルＲの長さｒ、すなわち操作装置１の傾斜に応じてセルＴ０〜２のいずれかがカレントセルとして特定される。
【００２７】
変換テーブル記憶部１１は、セル情報記憶部１０に記憶されている第１のセル情報の各セルＳｎと複合操作画面３１の領域とを関連づける第１の変換テーブルと、セル情報記憶部１０に記憶されている第２のセル情報の各セルＴｐとカーソルの移動量および速度を関連づける第２の変換テーブルとを記憶している記憶手段である。
【００２８】
第１の変換テーブルは、図９に示すように、図７に示す第１のセル情報におけるセルＳ０に対して複合操作画面３１の楽曲マップ領域３２が関連づけられていると共に、セルＳ１〜４に対して複合操作画面３１の指示キーＫｍ（ｍ＝１〜４）がそれぞれ関連づけられている。
【００２９】
第２の変換テーブルは、図１０に示すように、図８に示す第２のセル情報におけるセルＴ０〜２に対して、移動量Ｌ０〜２）および速度Ａ０〜２）がそれぞれ関連づけられている。なお、第２のセル情報の最も内側のセルＴ０に関連づけられた移動量Ｌ０および速度Ａ０は、「０」であり、姿勢ベクトルＲが長い程、すなわち装置の傾きが大きいほど、移動量が大きく、速度が速くなるように設定されており、移動量は、Ｌ０＜Ｌ１＜Ｌ２の関係となり、速度は、Ａ０＜Ａ１＜Ａ２の関係となる。なお、移動量は、単位時間当たりのカーソルの移動量を示すものであり、速度と同義の情報である。
【００３０】
表示制御部１２は、中央制御部１４の制御に基づいて画面記憶部９に記憶されている各種操作画面のいずれかを読み出して表示部３に表示すると共に、表示部３に表示した操作画面に配列されている指示キーＫｍに割り当てられた操作とをカーソル制御部１３に通知する。また、表示制御部１２は、表示部３に複合操作画面３１を表示する場合には、データベース１５に記憶されている楽曲データの評価点に基づいて、複合操作画面３１の楽曲マップ領域３２に各楽曲データをポイント等の図形として展開する。なお、表示制御部１２は、表示部３に表示した操作画面に案内情報表示領域がレイアウトされている場合には、中央制御部１４からの指示に基づいて、再生する楽曲データのタイトル名、アーティスト名等の書誌データをデータベース１５から読み出して案内情報表示領域に表示する。
【００３１】
カーソル制御部１３は、表示部３に表示された複合操作画面３１のキー配列領域３３に配列された複数の指示キーＫｍのいずれかを選択するカーソルの移動制御と、複合操作画面３１の楽曲マップ領域３２上の領域を示すカーソル（以下、楽曲マップ領域３２上のカーソルを楽曲選択カーソル３４と称す）の移動制御とを行う手段である。
【００３２】
カーソル制御部１３は、複合操作画面３１が表示部３に表示されている場合には、セル情報記憶部１０に記憶されている第１のセル情報に基づいて、座標変換部８から入力される姿勢ベクトルＲに対応するセルＳｎのいずれかをカレントセルとして特定すると共に、変換テーブル記憶部１１に記憶されている第１の変換テーブルを用いて特定したカレントセルに関連づけられた複合操作画面３１の領域を特定する。
【００３３】
カレントセルとしてセルＳ１〜４か特定された場合には、第１の変換テーブルによってキー配列領域３３が特定されることになり、キー配列領域３３に配列されている指示キーＫｍ（ｍ＝１〜４）のいずれかが特定され、カーソル制御部１３は、特定した指示キーＫｍにカーソルを移動させる。なお、図６（ａ）には、指示キーＫ２にカーソルが移動され選択されている状態が示されている。また、カーソル制御部１３は、指示キーＫｍ（ｍ＝１〜４）のいずれかにカーソルが移動された状態で操作キー４が押下されると、カーソルが位置する指示キーＫｍに割り当てられた操作を中央制御部１４に通知する。
【００３４】
カレントセルとしてセルＳ０が特定された場合には、第１の変換テーブルによって楽曲マップ領域３２が特定されることになり、カーソル制御部１３は、セル情報記憶部１０に記憶されている第２のセル情報に基づいて、座標変換部８から入力される姿勢ベクトルＲに対応するセルＴｐのいずれかをカレントセルとして特定すると共に、第２の変換テーブルを用いて特定したカレントセルに関連づけられた移動量および速度を特定し、姿勢ベクトルＲの方向に特定した移動量および速度で楽曲選択カーソル３４を移動させる。なお、操作装置１が略水平に保たれ、姿勢ベクトルＲによってセル情報の最も内側のセルＴ０がカレントセルとして特定された場合には、セルＴ０に関連づけられた移動量Ｌ０および速度Ａ０が「０」であるため、楽曲選択カーソル３４の移動が行われないように制御される。また、カーソル制御部１３は、楽曲マップ領域３２が特定された状態で操作キー４が押下されると、楽曲選択カーソル３４内に含まれる楽曲データを選択して中央制御部１４に通知する。
【００３５】
中央制御部１４は、音声出力部１６を制御することで、カーソル制御部１３によって選択され通知された楽曲データの再生を実行すると共に、カーソル制御部１３から通知される操作を、表示制御部１２および音声出力部１６を制御することで実行する。また、電源切断状態で操作キー４が押下されると電源の投入制御を、電源投入状態で操作キー４が所定時間以上押下されると電源の切断制御を行う。なお、電源の切断制御は、操作画面のいずれかに電源切断操作が割り当てられた指示キーを設け、当該指示キーにカーソルを移動させた状態で操作キー４を押下することで実行されるようにしても良い。
【００３６】
データベース１５は、ＨＤＤ等の記録手段であり、図示しない楽曲データ入力端子から入力された楽曲データが記録されていると共に、各楽曲データのタイトル名、アーティスト名等の書誌データと、少なくとも２つの評価項目について楽曲データをそれぞれ評価した評価点とが記録されている。
【００３７】
音声出力部１６は、中央制御部１４からの指示に基づいて、データベース１５に記録されている楽曲データを再生するオーディオプレーヤであり、図示しない音声出力端子からオーディオ信号を図示しないヘッドフォン等の音声出力装置に出力する。
【００３８】
次に、複合操作画面３１におけるカーソル移動動作について図１１を参照して詳細に説明する。
図１１は、本発明に係る操作装置の実施の形態における複合操作画面上でのカーソルの移動動作を説明するためのフローチャートである。
【００３９】
表示制御部１２は、中央制御部１４の制御に基づいて、複合操作画面３１を画面記憶部９から読み出して表示部３に表示すると（ステップＡ１）、表示部３に表示した複合操作画面３１を特定する操作画面特定情報をカーソル制御部１３に通知する（ステップＡ２）。
【００４０】
次に、座標変換部８は、傾斜角検出部６から出力され、ＡＤ変換部７によってデジタル信号に変換された姿勢信号に基づいてＸ軸、Ｙ軸の回転角θｘ、θｙをそれぞれ算出し（ステップＡ３）、算出した回転角θｘ、θｙを合成することで、操作装置１がどの向きに傾けられたかを示す角度θａと、操作装置１の傾斜角の大きさを示す長さｒとで表される姿勢ベクトルＲを算出する（ステップＡ４）。
【００４１】
次に、カーソル制御部１３は、セル情報記憶部１０に記憶されている第１のセル情報に基づいて、座標変換部８から入力される姿勢ベクトルＲに対応するセルＳｎのいずれかをカレントセルを特定すると共に（ステップＡ５）、変換テーブル記憶部１１に記憶されている第１の変換テーブルを用いて特定したカレントセルに関連づけられた複合操作画面３１の領域を特定し（ステップＡ６）、キー配列領域３３、すなわちキー配列領域３３に配列されている指示キーＫｍ（ｍ＝１〜４）のいずれかが特定されたか否かを判断する（ステップＡ７）。
【００４２】
カレントセルとしてセルＳ１〜４か特定され、第１の変換テーブルによってキー配列領域３３に配列されている指示キーＫｍ（ｍ＝１〜４）のいずれかが特定された場合には、カーソル制御部１３は、特定した指示キーＫｍにカーソルを移動させる（ステップＡ８）。なお、図７には、実線示す姿勢ベクトルＲによって第１のセル情報のセルＳ２がカレントセルとして特定された状態が示されており、第１のセル情報のセルＳ２がカレントセルとして特定された場合には、図８に示す第１の変換テーブルによってカレントセルであるセルＳ２が指示キーＫ２に変換され、図６（ａ）に示すようにカーソルが指示キーＫ１に移動される。
【００４３】
次に、カーソル制御部１３は、操作キー４が押下されたか否かを判断し（ステップＡ９）、操作キー４が押下された場合には、カーソルが位置する指示キーＫｍに割り当てられた操作を中央制御部１４に通知し、中央制御部１４は、カーソル制御部１３から通知される操作を、表示制御部１２および音声出力部１６を制御することで実行し（ステップＡ１０）、複合操作画面３１におけるカーソルの移動動作を終了する。
【００４４】
また、ステップＡ９で操作キー４が押下されない場合には、ステップＡ３に戻り、座標変換部８は、傾斜角検出部６から出力され、ＡＤ変換部７によってデジタル信号に変換された姿勢信号に基づいてＸ軸、Ｙ軸の回転角θｘ、θｙをそれぞれ算出する。
【００４５】
ステップＡ７でカレントセルとしてセルＳ０か特定され、第１の変換テーブルによって楽曲マップ領域３２が特定された場合には、カーソル制御部１３は、セル情報記憶部１０に記憶されている第２のセル情報に基づいて、座標変換部８から入力される姿勢ベクトルＲに対応するセルＴｐのいずれかをカレントセルを特定すると共に（ステップＡ１１）、変換テーブル記憶部１１に記憶されている第２の変換テーブルを用いて特定したカレントセルに関連づけられた移動量および速度を特定し（ステップＡ１２）、姿勢ベクトルＲの方向に特定した移動量および速度で楽曲選択カーソル３４を移動させる（ステップＡ１３）。なお、図８には、点線示す姿勢ベクトルＲによって第２のセル情報のセルＴ２がカレントセルとして特定された状態が示されており、第２のセル情報のセルＴ２がカレントセルとして特定された場合には、図１０に示す第２の変換テーブルによって楽曲選択カーソル３４の移動量および速度がそれぞれＬ２、Ａ２に特定され、図６（ｂ）に点線で示す姿勢ベクトルＲの方向に特定した移動量および速度で楽曲選択カーソル３４が移動する。
【００４６】
次に、カーソル制御部１３は、操作キー４が押下されたか否かを判断し（ステップＡ１４）、操作キー４が押下された場合には、楽曲選択カーソル３４内に含まれる楽曲データを選択して中央制御部１４に通知し、中央制御部１４は、音声出力部１６を制御することで、カーソル制御部１３から選択され通知された楽曲データの再生を実行し（ステップＡ１５）、複合操作画面３１における楽曲選択カーソル３４の移動動作を終了する。
【００４７】
また、ステップＡ１４で操作キー４が押下されない場合には、ステップＡ３に戻り、座標変換部８は、傾斜角検出部６から出力され、ＡＤ変換部７によってデジタル信号に変換された姿勢信号に基づいてＸ軸、Ｙ軸の回転角θｘ、θｙをそれぞれ算出する。
【００４８】
次に、本発明の他の実施の形態である操作システムについて図１２を参照して詳細に説明する。
図１２は、本発明に係る操作システムの実施の形態の構成を示すブロック図である。
【００４９】
他の実施の形態である操作システム２０は、図１２を参照すると、ＤＶＤプレーヤ、テレビジョン装置等の本体装置２１と、本体装置２１を操作するリモコン装置２２とからなり、本体装置２１は、表示部３と、座標変換部８と、画面記憶部９と、セル情報記憶部１０と、変換テーブル記憶部１１と、表示制御部１２と、カーソル制御部１３と、中央制御部１４と、受信部２３とを備え、リモコン装置２２は、操作キー４と、傾斜角検出部６と、ＡＤ変換部７と、送信部２４とを備えている。なお、本体装置２１の表示部３は、本体装置２１に接続されたディスプレイ等の表示手段を用いるようにしても良い。
【００５０】
リモコン装置２２の送信部２４は、傾斜角検出部６から出力され、ＡＤ変換部７によってデジタル信号に変換された姿勢信号および操作キー４の押下信号を赤外線等の操作信号に変調して本体装置に送信し、本体装置２１の受信部２３は、リモコン装置２２から受信した操作信号を復調し、姿勢信号を座標変換部８に、操作キー４の押下信号をカーソル制御部１３にそれぞれ入力する。これにより、上述した操作装置１の構成を本体装置２１とリモコン装置２２とに割り振っても操作装置１と同様の動作を行うことができる。
【００５１】
以上説明したように、本実施の形態によれば、傾斜角検出部６によって操作装置１の傾きを検出して姿勢信号を出力し、異なる操作が割り当てられた複数の指示キーＫｍが配列されているキー配列領域３３および複数の楽曲データが展開される楽曲マップ領域３２からなる複合操作画面３１において、キー配列領域３３では、姿勢信号に基づいた第１のカーソル移動制御でキー配列領域３３に配列されている複数の指示キーＫｍのいずれかにカーソルを移動させ、楽曲マップ領域３２では、第１のカーソル移動制御とは異なる姿勢信号に基づいた第２のカーソル移動制御で楽曲マップ領域３２上の範囲を指定する楽曲選択カーソル３４を移動させるように構成することにより、キー配列領域３３に適したカーソルの移動制御と、楽曲マップ領域３２に適した楽曲選択カーソル３４の移動制御とをそれぞれ採用することができるため、キー配列領域３３および楽曲マップ領域３２からなる複合操作画面３１においても操作装置１を傾斜させるだけで、キー配列領域３３における指示キーＫｍの選択と楽曲マップ領域３２の楽曲選択とを容易に行うことができるという効果を奏する。
【００５２】
さらに、本実施の形態によれば、キー配列領域３３における第１のカーソル移動制御として、姿勢信号に基づいてキー配列領域３３に配列されている複数の指示キーＫｍのいずれかを特定してカーソルを移動させるように構成することにより、キー配列領域３３に配列された複数の指示キーＫｍのいずれかを操作装置１の姿勢に応じて直接的に選択することができ、キー配列領域３３でのカーソル移動の操作性を向上させることができるという効果を奏する。
【００５３】
さらに、本実施の形態によれば、楽曲マップ領域３２における第２のカーソル移動制御として、姿勢信号に基づいて操作装置１が傾斜している方向に楽曲選択カーソル３４を移動させ、楽曲選択カーソル３４内に位置する前記楽曲データを選択させるように構成することにより、楽曲マップ領域３２における楽曲選択カーソル３４を操作装置１の傾斜に応じて任意の方向に移動させることができるため、楽曲マップ領域３２でのカーソル移動の操作性を向上させることができるという効果を奏する。
【００５４】
さらに、本実施の形態によれば、複合操作画面３１において、中央に楽曲マップ領域３２がレイアウトすると共に、楽曲マップ領域３２を囲むようにキー配列領域３３がレイアウトし、操作装置１の傾斜が予め定められた閾値以上の場合に、第１のカーソル移動制御によってキー配列領域３３に配列されている複数の指示キーＫｍのいずれかにカーソルを移動させ、操作装置１の傾斜が閾値未満の場合に、第２のカーソル移動制御によって楽曲マップ領域３２における楽曲選択カーソル３４を移動させるように構成することにより、操作装置１の傾斜角度によってキー配列領域３３における指示キーＫｍの選択と楽曲マップ領域３２の楽曲選択とを容易に切り換えることができるという効果を奏する。
【００５５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５６】
【図１】本発明に係る操作装置の実施の形態の外観構成を示す斜視図である。
【図２】図１に示す操作装置の構成を示すブロック図である。
【図３】図１に示す操作装置の使用状態を説明するための説明図である。
【図４】図２に示す傾斜角検出部の出力例を示す図である。
【図５】図２に示す座標変換部における姿勢ベクトルの算出方法を説明する説明図である。
【図６】図２に示す画面記憶部に記憶されている複合操作画面例を示す図である。
【図７】図２に示すセル情報記憶部に記憶されている第１のセル情報例を示す図である。
【図８】図２に示すセル情報記憶部に記憶されている第２のセル情報例を示す図である。
【図９】図６に示す複合操作画面におけるキー配列領域に対応する第１の変換テーブル例を示す図である。
【図１０】図６に示す複合操作画面におけるマップ領域に対応する第２の変換テーブル例を示す図である。
【図１１】本発明に係る操作装置の実施の形態における複合操作画面上でのカーソルの移動動作を説明するためのフローチャートである。
【図１２】本発明に係る操作システムの実施の形態の構成を示すブロック図である。
【符号の説明】
【００５７】
１  操作装置
２  筐体
３  表示部
４  操作キー
６  傾斜角検出部
７  ＡＤ変換部
８  座標変換部（回転角算出手段）
９  画面記憶部
１０  セル情報記憶部
１１  変換テーブル記憶部
１２  表示制御部
１３  カーソル制御部
１４  中央制御部
１５  データベース
１６  音声出力部
２０  操作システム
２１  本体装置
２２  リモコン装置
２３  受信部
２４  送信部
３１  複合操作画面
３２  楽曲マップ領域
３３  キー配列領域
３４  楽曲選択カーソル
【図１】
2007041896.tif 000003
【図２】
2007041896.tif 000004
【図３】
2007041896.tif 000005
【図４】
2007041896.tif 000006
【図５】
2007041896.tif 000007
【図６】
2007041896.tif 000008
【図７】
2007041896.tif 000009
【図８】
2007041896.tif 000010
【図９】
2007041896.tif 000011
【図１０】
2007041896.tif 000012
【図１１】
2007041896.tif 000013
【図１２】
2007041896.tif 000014